(57)【要約】【課題】保護材の割れを防止でき、結果的に、更なる携帯端末装置の薄型化に貢献できる、部材、表示部構造及び携帯端末装置を提供する。【解決手段】情報を表示する表示パネルと、表示パネルを背面から照光する照光手段と、表示パネルを保護する保護材と、照光手段及び保護材の近傍に位置する部材と、を有する表示部構造であって、照光手段及び保護材の近傍には、部材の形状に応じた空間部分が設けられており、部材の形状は、曲面、斜面、保護材に対して垂直な面のうちいずれか１つを含む形状である。【選択図】図２
2008191380.tif 000002
【特許請求の範囲】
【請求項１】
情報を表示する表示パネルを背面から照光する照光手段及び該表示パネルを保護する保護材の近傍に備えられる部材であって、
前記部材は、前記照光手段及び前記保護材の近傍に空間部分が設けられる形状であることを特徴とする部材。
【請求項２】
前記部材の形状は、曲面、斜面、前記保護材に対して垂直な面のうちいずれか１つを含む形状であることを特徴とする請求項１記載の部材。
【請求項３】
情報を表示する表示パネルと、
該表示パネルを背面から照光する照光手段と、
該表示パネルを保護する保護材と、
前記照光手段及び前記保護材の近傍に位置する部材と、を有する表示部構造であって、
前記照光手段及び前記保護材の近傍には、前記部材の形状に応じた空間部分が設けられていることを特徴とする表示部構造。
【請求項４】
前記部材の形状は、曲面、斜面、前記保護材に対して垂直な面のうちいずれか１つを含む形状であることを特徴とする請求項３記載の表示部構造。
【請求項５】
前記保護材を前記部材に固定する固定手段を有し、
前記固定手段は、前記空間部分を覆うように前記保護材上に備えられていることを特徴とする請求項３又は４記載の表示部構造。
【請求項６】
請求項１又は２記載の部材、あるいは、請求項３から５のいずれか１項に記載の表示部構造を備えたことを特徴とする携帯端末装置。
【発明の詳細な説明】
【技術分野】
【０００１】
本発明は、画面などの表示部を備えた筐体に適用される部材に関し、更には、上記部材を適用した表示部構造及び携帯端末装置に関する。
【背景技術】
【０００２】
従来、携帯電話機等の携帯端末装置では、薄型化を実現するため、新機種の立ち上げ時に数々のアイデアが実施されているが、その中の１つとして、表示部の保護材の薄型化がある。しかし、保護材は透明樹脂材で構成されているため、保護材を薄くすると割れやすくなり、保護材の薄型化には限界があった。
【０００３】
保護材が割れてしまう原因について説明する。一般的な携帯端末装置の表示部構造は、図６の側断面図に示すように、上ケース２３の鍔部２４の角部２６がエッジとなっており、保護材２１及び照光ユニット２７近傍に存在する。よって、外部からの衝撃等を受けると、保護材２１が角部２６に当たるため、角部２６の直上付近に応力集中が発生し、保護材２１が割れてしまう。
【０００４】
このような表示部構造の従来技術例としては、筐体の内面に位置決め凸部を一体形成し、筐体の成形時に外観不良を生じさせることなく、位置決め凸部の強度を高め、落下時などの破断を防止する「位置決め構造、位置決め方法、筐体、携帯通信端末」がある（例えば、特許文献１参照）。この特許文献１における表示部構造も、特許文献１の図５に示されるように、透明パネル（保護材）３４及び照光ユニット３７近傍に、位置決め凸部３２ｄの角部がエッジとして存在する。よって、図４を用いて説明した上記例と同様に、外部からの衝撃等を受けた場合、透明パネル３４が位置決め凸部３２ｄの角部に当たるので、角部の直上付近に発生した応力集中を原因として、透明パネル３４が割れてしまうおそれがある。
【特許文献１】特開２００６−８６２２０号公報
【発明の開示】
【発明が解決しようとする課題】
【０００５】
以上のことから、特許文献１記載の発明を含む従来の携帯端末装置の表示部構造では、応力集中を緩和させることにより、保護材の割れを防止する必要性がある。
【０００６】
本発明は、上記事情に鑑みてなされたものであり、保護材の割れを防止でき、結果的に、更なる携帯端末装置の薄型化に貢献できる、部材、表示部構造及び携帯端末装置を提供することを目的とする。
【課題を解決するための手段】
【０００７】
かかる目的を達成するために、請求項１記載の発明は、情報を表示する表示パネルを背面から照光する照光手段及び表示パネルを保護する保護材の近傍に備えられる部材であって、部材は、照光手段及び保護材の近傍に空間部分が設けられる形状であることを特徴とする。
【０００８】
請求項２記載の発明は、請求項１記載の発明において、部材の形状は、曲面、斜面、保護材に対して垂直な面のうちいずれか１つを含む形状であることを特徴とする。
【０００９】
請求項３記載の発明は、情報を表示する表示パネルと、表示パネルを背面から照光する照光手段と、表示パネルを保護する保護材と、照光手段及び保護材の近傍に位置する部材と、を有する表示部構造であって、照光手段及び保護材の近傍には、部材の形状に応じた空間部分が設けられていることを特徴とする。
【００１０】
請求項４記載の発明は、請求項３記載の発明において、部材の形状は、曲面、斜面、保護材に対して垂直な面のうちいずれか１つを含む形状であることを特徴とする。
【００１１】
請求項５記載の発明は、請求項３又は４記載の発明において、保護材を部材に固定する固定手段を有し、固定手段は、空間部分を覆うように保護材上に備えられていることを特徴とする。
【００１２】
請求項６記載の発明は、請求項１又は２記載の部材、あるいは、請求項３から５のいずれか１項に記載の表示部構造を備えたことを特徴とする。
【発明の効果】
【００１３】
本発明によれば、保護材の割れを防止することが可能となり、結果的に、更なる携帯端末装置の薄型化に貢献できる。
【発明を実施するための最良の形態】
【００１４】
以下、本発明を実施するための最良の形態について添付図面を参照して詳細に説明する。
【００１５】
まず、本発明の一実施形態である携帯端末装置として、折り畳み型携帯電話機１０について説明する。図１は、本実施形態の折り畳み型携帯電話機の外観を示す斜視図である。図１に示すように、本実施形態の折り畳み型携帯電話機１０は、表示部１２を備えた上側筐体１４と、各種操作が行われるボタン部１３を備えた下側筐体１５とがヒンジ部１１を介して折り畳み自在に連結して構成されている。図１は、ヒンジ部１１を軸にして両筐体を開いた状態を示している。なお、本実施形態では、折り畳み型携帯電話機としたが、これに限られず、筐体に表示部構造を備えた携帯端末装置であればよい。
【００１６】
次に、上記のように構成された本実施形態の折り畳み型携帯電話機の表示部構造の実施例１〜４について、以下にそれぞれ説明する。
【実施例１】
【００１７】
図２は、図１における表示部１２のＡ−Ａ断面の一部を示しており、図１に示す折り畳み型携帯電話機１０の表示部構造の側断面図である。
【００１８】
図２に示すように、本実施例１の表示部構造は、透明樹脂材などで構成され、液晶２に対する外部からの衝撃や塵埃等を保護する保護材（透明パネル）１、文字や画像などの各種情報を表示する液晶（表示パネル）２、液晶２を背面から照らす照光ユニット（照光手段）７、これら照光ユニット７、液晶２、保護材１が順に組み込まれる上ケース（部材）３、を有して構成されている。
【００１９】
また、図２に示すように、上ケース３には、鍔部４と、角部６とが形成されている。なお、本実施例１（及び以下の実施例２〜４）において、本発明の部材の実施例である上ケース３は、図２に示すように、外部に露出して上側筐体１４の頂上部を構成する部材でもあるが、本発明の部材の実施例としては、筐体外部に露出せずに、筐体内部に備えられる部材であってもよい。また、本実施例１（及び以下の実施例２〜４）において、本発明の部材の実施例である上ケース３は、図２に示すように、照光ユニット７及び保護材１を保持する部材としているが、本発明の部材の実施例としては、必ずしも照光ユニット７や保護材１を保持する必要はなく、照光ユニット７及び保護材１近傍に備えられるものであればよい。
【００２０】
また、図２に示すように、保護材１は、上ケース３の鍔部４の周囲面に貼付される両面テープ（固定手段）５を介して、上ケース３に固定されている。
【００２１】
また、図２に示すように、上ケース３の下方には、基板や部品が実装される基板・実装部８が備えられ、その基板・実装部８の下方には、下ケース９が備えられている。
【００２２】
本実施例１の表示部構造では、図２に示すように、上ケース３は、保護材１及び照光ユニット７近傍部分（鍔部４左方の角部６）が、丸みのある曲面形状となっている。この曲面形状により、保護材１及び照光ユニット７と、角部６との間に空間部分が形成される。この空間部分によって、外部からの力で保護材１が押されても、保護材１が上ケース３の角部６に当たることがなくなり、応力集中を緩和でき、保護材１の割れを防止できる。
【実施例２】
【００２３】
図３は、図１における表示部１２のＡ−Ａ断面の一部を示しており、図１に示す折り畳み型携帯電話機１０の表示部構造の側断面図である。なお、図３における各部は、上記実施例１で説明した図２における各部と同じであるので、ここでの説明は省略する。
【００２４】
本実施例２の表示部構造では、図３に示すように、上ケース３は、保護材１及び照光ユニット７近傍部分（鍔部４左方の角部６）が、斜面形状となっている。この斜面形状により、保護材１及び照光ユニット７と、角部６との間に空間部分が形成される。この空間部分によって、外部からの力で保護材１が押されても、保護材１が上ケース３の角部６に当たることがなくなり、応力集中を緩和でき、保護材１の割れを防止できる。
【実施例３】
【００２５】
図４は、図１における表示部１２のＡ−Ａ断面の一部を示しており、図１に示す折り畳み型携帯電話機１０の表示部構造の側断面図である。なお、図４における各部は、上記実施例１で説明した図２における各部と同じであるので、ここでの説明は省略する。
【００２６】
本実施例３の表示部構造では、図４に示すように、上ケース３は、保護材１及び照光ユニット７近傍部分（鍔部４左方の角部６）が、両面テープ５の端部から保護材１に対して垂直となっており、照光ユニット７底部から水平に延伸した方向と直交する形状となっている。この形状により、保護材１及び照光ユニット７と、角部６との間に空間部分が形成される。この空間部分によって、外部からの力で保護材１が押されても、保護材１が上ケース３の角部６に当たることがなくなり、応力集中を緩和でき、保護材１の割れを防止できる。
【００２７】
以上説明したように、本発明の実施例１〜３によれば、保護材及び照光ユニット近傍における上ケース（部材）の形状からエッジをなくし、保護材１及び照光ユニット７と、角部６との間に空間部分を形成することにより、保護材の割れを防止でき、結果的に、更なる携帯端末装置の薄型化に貢献できる。
【００２８】
また、本実施例１〜３によれば、保護材及び照光ユニット近傍における上ケース（部材）の形状からエッジをなくすことにより、鍔部における両面テープの貼付箇所を減らすことができ、結果的に、コスト削減に貢献できる。
【００２９】
なお、保護材及び照光ユニット近傍における上ケース（部材）の形状は、上記実施例１〜３の形状に限られず、保護材１及び照光ユニット７と、角部６との間に空間部分を形成できる形状であればよい。
【実施例４】
【００３０】
図５は、図１における表示部１２のＡ−Ａ断面の一部を示しており、図１に示す折り畳み型携帯電話機１０の表示部構造の側断面図である。本実施例４において、保護材１及び照光ユニット７近傍における上ケース３の部分（鍔部４左方の角部６）は、上記実施例１と同様の形状であるが、本実施例４は、両面テープ５の貼付方法が上記実施例１とは異なる。
【００３１】
本実施例４の表示部構造では、図５に示すように、両面テープ５は、保護材１上において、鍔部４左方の角部６に形成された空間部分を覆うように、照光ユニット７上の近傍まで延長して貼付されている。このように、保護材１上に両面テープ５を延長して貼付することにより、応力集中をさらに緩和することが可能となるので、保護材１の割れ防止について改善効果がさらに期待できる。
【００３２】
なお、本実施例４の両面テープ５の貼付方法は、上記実施例２及び３にも適用できる。
【００３３】
以上説明したように、本実施例４によれば、保護材及び照光ユニット近傍における上ケース（部材）の形状からエッジをなくし、かつ、保護材上における両面テープを、照光ユニット上近傍まで延長して貼付することにより、保護材の割れ防止をさらに強化できる。
【００３４】
以上、本発明の実施形態及び各実施例について説明したが、上記記載に限定されるものではなく、その要旨を逸脱しない範囲において種々の変形が可能である。
【産業上の利用可能性】
【００３５】
本発明は、筐体に表示部を有する装置・機器に適用できる。
【図面の簡単な説明】
【００３６】
【図１】本発明の一実施形態である携帯端末装置の外観を示す斜視図である。
【図２】本発明の一実施形態である携帯端末装置の実施例１に係る表示部構造を示す側断面図である。
【図３】本発明の一実施形態である携帯端末装置の実施例２に係る表示部構造を示す側断面図である。
【図４】本発明の一実施形態である携帯端末装置の実施例３に係る表示部構造を示す側断面図である。
【図５】本発明の一実施形態である携帯端末装置の実施例４に係る表示部構造を示す側断面図である。
【図６】従来の携帯端末装置における表示部構造の一例を示す側断面図である。
【符号の説明】
【００３７】
１、２１    保護材
２、２２    液晶
３、２３    上ケース（部材）
４、２４    鍔部
５    両面テープ（固定手段）
６、２６    角部
７、２７    照光ユニット（照光手段）
８、２８    基板・部品実装部
９、２９    下ケース
１０    折り畳み型携帯電話（携帯端末装置）
１１    ヒンジ部
１２    表示部
１３    ボタン部
１４    上側筐体
１５    下側筐体
【図１】
2008191380.tif 000003
【図２】
2008191380.tif 000004
【図３】
2008191380.tif 000005
【図４】
2008191380.tif 000006
【図５】
2008191380.tif 000007
【図６】
2008191380.tif 000008